【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ＲＦゲイン制御ユニットに接続される少なくとも１つのＲＦ／ＩＦアナログ・ステージを含むＲＦ／中間周波数（ＩＦ）経路を有する無線周波数（ＲＦ）受信器におけるゲイン補償のための方法であって、前記少なくとも１つのＲＦ／ＩＦアナログ・ステージは複数の構成要素を含み、前記複数の構成要素の各々は１つ以上の状態を有し、前記ＲＦ受信器はアナログ・デジタル（Ａ／Ｄ）変換器を更に含み、前記方法は、
ＲＦ信号を受信する段階と、
前記少なくとも１つのＲＦ／ＩＦアナログ・ステージの前記複数の構成要素の１つ以上のうちの１つ以上の状態を動的に調整する段階と、
前記Ａ／Ｄ変換器が前記ＲＦ信号をデジタル化してデジタル信号を生成する段階と、
前記デジタル信号を前記ＲＦゲイン制御ユニットに供給する段階と、
前記デジタル信号に応答して、前記ＲＦゲイン制御ユニットがゲイン制御信号を生成する段階と、
前記ゲイン制御信号と少なくとも１つのＲＦ／ＩＦアナログ・ステージに関連するゲインの変化値とに応答して、前記少なくとも１つのＲＦ／ＩＦアナログ・ステージの複数の構成要素のうちの１つ以上の構成要素の前記１つ以上の状態を調整すること補償するために前記デジタル信号を動的に調整する段階
を備える方法。
【請求項２】
前記信号がＮビット・デジタル信号であり、前記方法は、Ｍ＝ＮであるＭビット・デジタル信号を導出するために、前記Ｎビット・デジタル信号をＭビット信号範囲に動的に規格化する段階を更に備える、請求項１に記載の方法。
【請求項３】
前記少なくとも１つのＲＦ／ＩＦアナログ・ステージが少なくとも１つの切替式ＬＮＡを備え、動的に前記信号を調整する前記段階は、前記ゲイン制御信号に応答して、前記少なくとも１つの切替式ＬＮＡを補償するための前記信号を動的に調整する段階を含む、請求項１に記載の方法。
【請求項４】
前記少なくとも１つのＲＦ／ＩＦアナログ・ステージが少なくとも１つのミキサを備え、動的に前記信号を調整する前記段階は、前記ゲイン制御信号に応答して、前記少なくとも１つのミキサを補償するための前記信号を動的に調整する段階を含む、請求項１に記載の方法。
【請求項５】
前記少なくとも１つのＲＦ／ＩＦアナログ・ステージが少なくとも１つのベースバンド・ゲイン制御ステージを備え、動的に前記信号を調整する前記段階は、前記ゲイン制御信号に応答して、前記少なくとも１つのベースバンド・ゲイン制御ステージを補償するための前記信号を動的に調整する段階を含む、請求項１に記載の方法。
【請求項６】
前記信号を動的に調整する前記段階は、前記ゲイン制御信号と前記少なくとも１つのＲＦ／ＩＦアナログ・ステージに関連付けられるゲイン変化値とに応答して、少なくとも１つのＲＦ／ＩＦアナログ・ステージを補償するために前記信号を動的に調整する段階を含む、請求項１に記載の方法。
【請求項７】
前記ゲイン変化値は、前記少なくとも１つのＲＦ／ＩＦアナログ・ステージの特性データから導出された所定の値である、請求項６に記載の方法。
【請求項８】
前記ゲイン変化値は、前記ＲＦ受信器のファクトリ処理の間に較正される所定の値である、請求項６に記載の方法。
【請求項９】
前記ＲＦ受信器は前記Ａ／Ｄ変換器に接続された抵抗を更に備え、前記デジタル信号を動的に調整する前記段階は、前記抵抗のゲイン変化値と現在の値との組み合わせを、前記抵抗に動的に取り込む段階を含む、請求項６に記載の方法。
【請求項１０】
前記受信器は変化検出パルスを生成するゲイン変化検出論理ブロックを備え、前記ゲイン変化値と前記現在の値との前記組み合わせを前記抵抗に動的に取り込む前記段階は、前記変化検出パルスに応答して前記組み合わせを前記抵抗に動的に取り込む段階を備える、請求項９に記載の方法。
【請求項１１】
前記ＲＦ受信器は、前記ゲイン補償を実行するためのゲイン補償ユニットを更に備え、前記ゲイン補償ユニットは前記抵抗を備え、前記ゲイン変化値と前記現在の値との前記組み合わせを前記抵抗に動的に取り込む前記段階は、信号が前記少なくとも１つのＲＦ／ＩＦアナログ・ステージから前記ゲイン補償ユニットに移動する期間に対応する所定の遅延の後に、前記ゲイン変化値と前記現在の値との前記組み合わせを前記抵抗に動的に取り込む段階を備える、請求項９に記載の方法。
【請求項１２】
ＲＦゲイン制御ユニットに接続される少なくとも１つのＲＦ／ＩＦアナログ・ステージを含むＲＦ中間周波数経路を有する無線周波数（ＲＦ）受信器における位相補償のための方法であって、前記少なくとも１つのＲＦ／ＩＦアナログ・ステージは複数の構成要素を含み、前記複数の構成要素の各々は、１つ以上の状態を有し、前記ＲＦ受信器は、前記ＲＦ信号をデジタル化してＮビット・デジタル信号を前記ＲＦゲイン制御ユニットに出力するアナログ・デジタル（Ａ／Ｄ）変換器を更に含み、前記方法は、
ＲＦ信号を受信する段階と、
前記少なくとも１つのＲＦ／ＩＦアナログ・ステージの前記複数の構成要素の１つ以上のうちの１つ以上の状態を動的に調整する段階と、
前記Ａ／Ｄ変換器が前記ＲＦ信号をデジタル化してＮビットのデジタル信号を生成する段階と、
Ｍ＜Ｎであるとき、弱信号をビットに昇格させることによりＮビット信号のより重要なＭビットを抽出して前記Ｎビット・デジタル信号をＭビット信号範囲に動的に規格化し、Ｍビット・デジタル信号を導出する段階と、
Ｍビット・デジタル信号を前記ＲＦゲイン制御ユニットに供給する段階と、
前記Ｍビット・デジタル信号に応答して、前記ＲＦユニットがゲイン制御信号を生成する段階と、
前記ゲイン制御信号と前記少なくとも１つのＲＦ／ＩＦアナログ・ステージに関する位相変化値とに応答して前記少なくとも１つのＲＦ／ＩＦアナログ・ステージの前記複数の構成要素の１つ以上の構成要素の１つ以上の状態を補償するために前記Ｍビット・デジタル信号を動的に位相調整する段階と
を備える方法。
【請求項１３】
前記Ｍビット・デジタル信号を動的に位相調整する前記段階は、前記ゲイン制御信号と前記少なくとも１つのＲＦ／ＩＦアナログ・ステージに関連付けられる位相変化値とに応答して、前記Ｍビット・デジタル信号を動的に位相調整して前記少なくとも１つのＲＦ／ＩＦアナログ・ステージを補償する段階を備える、請求項１２に記載の方法。
【請求項１４】
前記位相変化値は少なくとも１つのＲＦ／ＩＦアナログ・ステージの特性データから導出される所定の値である、請求項１３に記載の方法。
【請求項１５】
前記位相変化値は受信器のファクトリ処理中に較正される所定の値である、請求項１３に記載の方法。
【請求項１６】
前記受信器は前記位相補償を実行するための位相補償ユニットを更に備え、前記Ｍビット・デジタル信号を動的に位相調整する前記段階は、前記ゲイン制御信号と、前記少なくとも１つのＲＦ／ＩＦアナログ・ステージに関連付けられる位相変化値とに応答して、前記Ｍビット・デジタル信号を動的な位相調整して前記少なくとも１つのＲＦ／ＩＦアナログ・ステージを補償する段階を備え、所定の期間は、信号が前記少なくとも１つのＲＦ／ＩＦアナログ・ステージから位相補償ユニットまで移動する信号の前記ゲイン制御信号が従う時間に対応する、請求項１２に記載の方法。
【請求項１７】
前記Ｍビット・デジタル信号を動的に位相調整する前記段階は、デジタル複素位相シフト作用に従って前記Ｍビット・デジタル信号を動的に位相調整する段階を含む、請求項１２に記載の方法。
【請求項１８】
無線周波数（ＲＦ）受信器であって、
アンテナと
アンテナに接続され、アナログ信号を処理するための少なくとも１つのＲＦ／中間周波数（ＩＦ）アナログ・ステージと、
前記少なくとも１つのＲＦ／ＩＦアナログ・ステージに接続されて前記アナログ信号をデジタル信号に変換するためのアナログ・デジタル（Ａ／Ｄ）変換器と、
前記Ａ／Ｄ変換器に接続されて、そこから前記デジタル信号を受信して、それに応答してゲイン制御信号を生成するＲＦゲイン制御ユニットであって、前記ＲＦゲイン制御ユニットも前記少なくとも１つのＲＦ／ＩＦアナログ・ステージに接続されて、前記ゲイン制御信号を、それを制御するためにそこに提供するＲＦゲイン制御ユニットと、
前記Ａ／Ｄ変換器と前記ＲＦゲイン制御ユニットとに接続されて、前記Ｎビット・デジタル信号を、Ｍ＜ＮであるＭビット信号範囲に動的に規格化してＭビット信号を導出するためのデジタル・ゲイン規格化ループと
を備え、前記デジタル・ゲイン規格化ループは１つ以上のミキサを含み、前記１つ以上のミキサの各々は、前記Ｎビット・デジタル信号を受信するように結合される第１入力と、前記１つ以上のミキサのうちの１つの出力に接続される第２入力とを有して、フィードバックルループを形成し、前記フィードバックループは、弱信号をビットに昇格させることによりＮビット信号のより重要なＭビットを抽出して、前記Ｎビット・デジタル信号をＭビット・デジタル信号に動的に規格化する、無線周波数（ＲＦ）受信器。
【請求項１９】
前記ＲＦ受信器は、前記ＲＦゲイン制御ユニットに接続されて、前記ゲイン制御信号に応答して前記Ｎビット・デジタル信号を動的にゲイン調整して、前記少なくとも１つのＲＦ／ＩＦを補償するためのデジタル・ゲイン補償ユニットを更に備える、請求項１８に記載のＲＦ受信器。
【請求項２０】
前記ＲＦ受信器は、前記デジタル・ゲイン規格化ループと前記ＲＦゲイン制御ユニットとに接続される前記ゲイン制御信号に応答して前記Ｍビット・デジタル信号を動的に位相調整して、前記少なくとも１つのＲＦ／ＩＦアナログ・ステージを補償するデジタル・ゲイン規格化ループを含む、請求項１９に記載のＲＦ受信器。